(57)【特許請求の範囲】
【請求項１】
液透過性の表面シート、液不透過性の防漏シート、前記表面シートと前記防漏シートとの間に設けられた液保持性の吸収体、及び前記防漏シートの外側に設けられた外層不織布を有し、実質的に縦長な吸収性シャーシと、
前記吸収性シャーシの側部から延出するサイドパネルと、
前記サイドパネルの側部に配置されるファスニングテープに設けられるメカニカルファスナーのオス部材とを備える吸収性物品であって、
前記防漏シートと前記外層不織布との間に設けられ、前記防漏シートと前記外層不織布とを接着する接着剤によって形成された接着層と、
前記防漏シートと前記吸収体との間に設けられた下層シートと、
前記防漏シートと前記下層シートとを接着する接着剤によって形成された追加接着層とを備え、
前記接着層は、前記外層不織布を形成する繊維の配向、及び前記防漏シートを形成する樹脂の配向と交差するような前記接着剤の塗布パターンを有し、
前記外層不織布は、前記メカニカルファスナーのオス部材が係合するように構成されており、
前記追加接着層は、
前記防漏シートを構成する樹脂の配向と交差するような前記接着剤の塗布パターンを有する第１部分と、
前記樹脂の配向と略平行するような前記接着剤の塗布パターンを有する第２部分とを有する吸収性物品。
【請求項２】
前記接着層における前記塗布パターンは、螺旋状であり、前記吸収性シャーシの長手方向に沿って前記螺旋状が繰り返される請求項１に記載の吸収性物品。
【請求項３】
前記吸収性シャーシの長手方向に直交する短手方向において、前記第１部分と前記第２部分との間隔は、０ｍｍより大きく２０ｍｍ以下である請求項１に記載の吸収性物品。
【請求項４】
前記塗布パターンは、
前記第１部分において螺旋状であり、前記吸収性シャーシの長手方向に沿って螺旋状が繰り返され、
前記第２部分において直線状であり、前記吸収性シャーシの長手方向に沿って伸びる請求項１に記載の吸収性物品。
【請求項５】
前記サイドパネルは、前記吸収性シャーシの長手方向に直交する短手方向において伸縮する請求項１に記載の吸収性物品。
【発明の詳細な説明】
【技術分野】
【０００１】
本発明は、ファスニングテープを用いたオープン型の使い捨ておむつなどの吸収性物品に関する。
【背景技術】
【０００２】
従来、ファスニングテープを用いたオープン型の使い捨ておむつが知られている。このような使い捨ておむつでは、ファスニングテープとして、メカニカルファスナーのオス部材を使い捨ておむつの背側領域から延出するサイドパネルに設けた構造が広く用いられている。また、このような使い捨ておむつの腹側領域には、メカニカルファスナーのオス部材と係合するターゲットテープが設けられることが一般的である。
【０００３】
このような使い捨ておむつにおいて、ターゲットテープ、つまり、メカニカルファスナーのメス部材を用いずに、使い捨ておむつの防漏シートの外側に配置された外層不織布に、メカニカルファスナーのオス部材を直接係合させる使い捨ておむつが提案されている（例えば、特許文献１）。この使い捨ておむつでは、外層不織布へのオス部材の確実な係合と、外層不織布の強度を確保するため、防漏シートと外層不織布との接着剤塗布部が、線状かつ所定間隔を開けて設けられている。
【先行技術文献】
【特許文献】
【０００４】
【特許文献１】特開２００１−４６４２６号公報（第３頁、第２図）
【発明の概要】
【発明が解決しようとする課題】
【０００５】
しかしながら、上述した従来の使い捨ておむつには、次のような問題があった。すなわち、防漏シートと外層不織布との接着剤塗布部が線状であるため、接着剤が外層不織布の表面に滲み出し易い。滲み出した接着剤は、外層不織布を形成する繊維の自由な動きを規制してしまうため、メカニカルファスナーのオス部材の外層不織布への係合力が低下する。
【０００６】
また、防漏シートと接着されていない外層不織布の部分では、ファスニングテープの使用を繰り返すことによって、オス部材と係合した繊維が伸びたり、解けたりしてしまい、外層不織布の外表面を覆うようになり易い。このため、オス部材の外層不織布への係合力がさらに低下する。
【０００７】
そこで、本発明は、このような状況に鑑みてなされたものであり、ターゲットテープを用いずにファスニングテープが直接外層不織布に係合する構造を用いる場合において、外層不織布の強度を確保しつつ、繰り返しの使用によってもファスニングテープの係合力を維持し得る使い捨ておむつなどの吸収性物品の提供を目的とする。
【課題を解決するための手段】
【０００８】
本発明の特徴は、液透過性の表面シート（表面シート10）、液不透過性の防漏シート（防漏シート20）、前記表面シートと前記防漏シートとの間に設けられた液保持性の吸収体（吸収体30）、及び前記防漏シートの外側に設けられた外層不織布（外層不織布40）を有し、実質的に縦長な吸収性シャーシ（吸収性シャーシ50）と、前記吸収性シャーシの側部から延出するサイドパネル（サイドパネル60）と、前記サイドパネルの側部に設けられるメカニカルファスナーのオス部材（オス部材71a、オス部材72a）とを備える吸収性物品（使い捨ておむつ1）であって、前記防漏シートと前記外層不織布との間に設けられ、前記防漏シートと前記外層不織布とを接着する接着剤（接着剤81）によって形成された接着層（接着層80）と、前記防漏シートと前記吸収体との間に設けられた下層シート（下層シート15）と、前記防漏シートと前記下層シートとを接着する接着剤によって形成された追加接着層（追加接着層90）とを備え、前記接着層は、前記外層不織布を形成する繊維の配向、及び前記防漏シートを形成する樹脂の配向と交差するような前記接着剤の塗布パターンを有し、前記外層不織布は、前記メカニカルファスナーのオス部材が係合するように構成されており、前記追加接着層は、前記防漏シートを構成する樹脂の配向と交差するような前記接着剤の塗布パターンを有する第１部分と、前記樹脂の配向と略平行するような前記接着剤の塗布パターンを有する第２部分とを有することを要旨とする。
【発明の効果】
【０００９】
本発明の特徴によれば、ターゲットテープを用いずにファスニングテープが直接外層不織布に係合する構造を用いる場合において、外層不織布の強度を確保しつつ、繰り返しの使用によってもファスニングテープの係合力を維持し得る使い捨ておむつなどの吸収性物品を提供することができる。
【図面の簡単な説明】
【００１０】
【図１】本発明の実施形態に係る使い捨ておむつ1の展開平面図である。
【図２】図１のF2-F2線に沿った使い捨ておむつ1の断面を模式的に示す図である
【図３】本発明の実施形態に係る接着層80における接着剤の塗布パターンを示す図である。
【図４】本発明の実施形態に係る追加接着層90における接着剤の塗布パターンを示す図である。
【発明を実施するための形態】
【００１１】
次に、本発明に係る吸収性物品の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
（１）吸収性物品の全体概略構成
図１は、本発明に係る吸収性物品の一実施形態である使い捨ておむつ1の展開平面図である。図２は、図１のF2-F2線に沿った使い捨ておむつ1の断面を模式的に示す図である。
【００１４】
図１及び図２に示すように、使い捨ておむつ1は、表面シート10、防漏シート20、吸収体30及び外層不織布40とを有し、実質的に縦長な吸収性シャーシ50を備える。
【００１５】
表面シート10は、着用者の肌に直接的に接する液透過性のシートである。表面シート10は、例えば、親水性不織布や開口プラスチックフィルム、開口疎水性不織布のシートによって形成される。
【００１６】
防漏シート20は、吸収体30に吸収された液体などが外部に漏れることを防止する液不透過性のシートである。防漏シート20は、例えば、ポリエチレン（PE）フィルムのシートによって形成される。
【００１７】
吸収体30は、着用者から排泄された液体を吸収する液保持性を有し、縦長な形状を有する。吸収体30は、例えば、綿状パルプと高分子吸収性ポリマー（SAP）とを混合させた材料によって形成される。吸収体30は、表面シート10と防漏シート20との間に設けられている。
【００１８】
なお、本実施形態では、防漏シート20と吸収体30との間に、さらに下層シート15（図２参照）が設けられている。下層シート15は、防漏シート20よりも幅が狭いシートである。下層シート15は、例えば、ティッシュや親水性不織布のシートによって形成される。
【００１９】
外層不織布40は、防漏シート20の外側に設けられる。外層不織布40として用いる素材は、サイドパネル60に設けられたファスニングテープ71,72が係合可能なものであれば、特に制限されないが、好ましい構成繊維としては、ポリエチレン（PE）繊維、ポリプロピレン（ＰＰ）繊維などのポリオレフィン繊維、ポリエチレンテレフタレート（PET）、ポリアミドなどの熱可塑性樹脂を単独で用いてなる繊維などが挙げられる。また、芯鞘型、サイドバイサイド型などの構造の複合繊維、例えば、鞘成分がPEまたは低融点PPである芯鞘構造の繊維なども挙げられる。なお、外層不織布40は、これらの繊維を単独で用いて構成してもよいが、二種類以上を組み合わせて用いてもよい。
【００２０】
外層不織布40の両側部には、吸収性シャーシ50の長手方向に沿って配置された細長い合成ゴムなどの弾性部材を有するレッグサイドギャザー（LSG）不織布45が設けられる。
【００２１】
吸収性シャーシ50の側部から延出する左右一対のサイドパネル60は、外層不織布40と、LSG不織布45との間で接着されている。サイドパネル60は、吸収性シャーシ50の長手方向に直交する短手方向において伸縮可能に形成される。サイドパネル60にこのような伸縮性を付与する方法としては、公知の方法を用いることができ、例えば、複数の弾性部材を短手方向に伸長した状態でサイドパネル60を形成する不織布に接着する方法が挙げられる。
【００２２】
左右一対のサイドパネル60の側部には、ファスニングテープ71及びファスニングテープ72が設けられる。ファスニングテープ71には、メカニカルファスナーのオス部材71aが設けられる。同様に、ファスニングテープ72には、メカニカルファスナーのオス部材72aが設けられる。
【００２３】
左右一対のサイドパネル60は、着用者の背中側に位置する吸収性シャーシ50の背側領域に設けられる。使い捨ておむつ1は、オス部材71a及びオス部材72aが係合するターゲットテープ（メカニカルファスナーのメス部材）を備えていない。すなわち、オス部材71a及びオス部材72aは、外層不織布40の表面に直接係合する。具体的には、オス部材71a及びオス部材72aは、外層不織布40の表面のどの領域（図１の一点鎖線枠内）にでも係合できる。
【００２４】
なお、このような使い捨ておむつ1の構造は、公知のオープン型の使い捨ておむつと同様である。
【００２５】
本実施形態では、サイドパネル60を最も伸長させて、オス部材71a及びオス部材72aを外層不織布40に係合させた状態において、サイドパネル60に掛かる応力が4.0N以下となるように設計されている。また、サイドパネル60のそれぞれに、オス部材が一つでなく二つ設けられているため、サイドパネル60の弾性部材による応力が分散され、サイドパネル60を最も伸長した状態の当該応力が4.0N以下となることを実現している。なお、当該応力の測定方法については、後述する。
【００２６】
また、図２に示すように、防漏シート20と外層不織布40との間には、防漏シート20と外層不織布40とを接着する接着剤によって形成された接着層80が備えられる。接着層80により、防漏シート20と外層不織布40とが接着される。
【００２７】
さらに、本実施形態では、防漏シート20と下層シート15との間には、防漏シート20と下層シート15とを接着する接着剤によって形成された追加接着層90が備えられる。追加接着層90により、防漏シート20と下層シート15とが接着される。
【００２８】
すなわち、接着層80及び追加接着層90によって、外層不織布40、防漏シート20及び下層シート15が一体化する。
【００２９】
（２）接着剤の塗布パターン
次に、上述した接着層80及び追加接着層90における接着剤の塗布パターンについて説明する。図３は、接着層80における接着剤の塗布パターンを示す。図４は、追加接着層90における接着剤の塗布パターンを示す。
【００３０】
（２．１）接着層80
図３に示すように、接着層80では、接着剤81の塗布パターンは、螺旋状（スパイラル状）である。接着剤81は、吸収性シャーシ50の長手方向に沿って螺旋状が繰り返されるような塗布パターンを形成する。
【００３１】
また、このような塗布パターンは、外層不織布40を形成する繊維の配向（図１及び図３の矢印方向）、及び防漏シート20を形成する樹脂の配向と交差するような塗布パターンである。なお、外層不織布40を形成する繊維の配向とは、外層不織布40を形成する繊維の延在方向を意味し、より具体的には、外層不織布40を形成する過半数の繊維（樹脂を含む）の延在方向を意味する。また、防漏シート20を形成する樹脂の配向についても、外層不織布40と同様の意味である。なお、繊維及び樹脂の配向の測定方法については、後述する。
【００３２】
接着剤81は、防漏シート20の表面全面を覆うように塗布されており、防漏シート20と外層不織布40とは、線や点よりも広い面で固定される。より具体的には、接着剤81は、防漏シート20の表面全面において網状網目状となるように塗布されており、防漏シート20と外層不織布40とは、均一に接着固定されるとともに、非接着域における外層不織布40の繊維は適度な自由度を有する。
【００３３】
接着剤81としては、スチレン系エラストマーやEVAをベースポリマーにしたゴム系のホットメルト接着剤や、アモルファスポリアルファオレフィンをベースポリマーにしたホットメルト接着剤を用いることができる。また、接着層80を形成する接着剤81の目付は、1.0〜10g/m2が好ましい。1.0g/m2未満の場合、ファスニングテープ71, 72の係合・剥離の際、繊維の破壊が著しくなるため好ましくない。一方、10g/m2を上回る場合、接着剤81が繊維の自由度を抑制し、剥離強度が低下するため、好ましくない。
【００３４】
さらに、接着層80の接着強度は、1.0〜10N/25mmが好ましい。1.0N/25mm未満の場合、外層不織布40がオス部材71a, 72（フック）のせん断力によって引っ張られ、外層不織布40と防漏シート20とが剥がれるおそれがある。一方、10N/25mmを上回る場合、外層不織布40がオス部材71a, 72（フック）のせん断力によって引っ張られたとき、応力の逃げ（繊維の伸縮）ができないため、防漏シート20に当該応力が伝わって防漏シート20が伸びてしまい、穴あきなどが生じ易くなる。なお、接着強度の測定方法については、後述する。
【００３５】
なお、接着剤81の塗布パターンは、図３に示したような螺旋状に限られない。具体的には、外層不織布40を形成する繊維の配向と交差するとともに、吸収性シャーシ50の長手方向及び短手方向において連続している塗布パターンであれば、螺旋（スパイラル）形状パターンでの塗工、オメガ（Ω）形状パターンでの塗工、波形状パターンでの塗工、シート状パターンでの塗工などによって形成されるものでもよい。シート状パターンでの塗工とは、細かい糸状のホットメルト接着剤樹脂を、シート状態となるように接着対象領域の全面へ塗布するパターンをいう。なお、この場合でも接着剤樹脂の塗布パターンは、外層不織布40（防漏シート20）の繊維の配向（樹脂の配向）と交差する方向に伸びる要素が含まれており、塗布パターンを構成する要素は、網目状に交差しているものとする。
【００３６】
すなわち、接着剤81の塗布パターンは、網状・網目状であればよく、このような塗布パターンにより、防漏シート20と外層不織布40とが均一に固定されるとともに、繊維間の非接着域に位置する外層不織布40の繊維は適度な自由度を有しているので好ましい。一方、コーター塗工（面状に接着剤を塗布）の場合、外層不織布40全面に接着剤が塗布されるため、外層不織布40の自由度が抑制され、剥離強度が低下するので好ましくない。
【００３７】
（２．２）追加接着層90
図４に示すように、追加接着層90では、接着剤91の塗布パターンは、接着剤81と同様に螺旋状（スパイラル状）である。接着剤91は、吸収性シャーシ50の長手方向に沿って螺旋状が繰り返されるような塗布パターンを形成する。また、追加接着層90では、接着剤92の塗布パターンは、吸収性シャーシ50の長手方向に沿って伸びており、具体的には吸収性シャーシ50の長手方向と略平行な直線状である。
【００３８】
すなわち、追加接着層90は、防漏シート20を構成する樹脂の配向（図４の矢印方向）と交差するような接着剤91の塗布パターンを有する部分（第１部分）と、当該樹脂の配向と略平行するような接着剤92の塗布パターンを有する部分（第２部分）とを有する。
【００３９】
また、吸収性シャーシ50の長手方向に直交する短手方向において、接着剤91の塗布パターンを有する部分（第１部分）と、接着剤92の塗布パターンを有する部分（第２部分）との間隔Gは、２０ｍｍ以下であることが好ましい。なお、接着剤91及び接着剤92としては、接着剤81と同様のホットメルト接着剤を用いることができる。
【００４０】
接着剤91の塗布パターンは、接着剤81と同様に、防漏シート20を形成する樹脂の配向と交差するとともに、吸収性シャーシ50の長手方向及び短手方向において連続している塗布パターンであればよい。また、接着剤92の塗布パターンは、例えば、ビード塗工によって形成できる。
【００４１】
なお、追加接着層90を形成する接着剤91, 92の目付は、接着剤81と同様とすることができる。また、追加接着層90の貼り合わせWET強度は、0.3N/25mm以上が好ましい。0.3N/25mm未満の場合、使い捨ておむつ1の使用時に耐え切れず防漏シート20などが剥がれてしまう。
【００４２】
（３）外層不織布40（防漏シート20）の繊維（樹脂）配向測定方法
外層不織布40の繊維の配向、及び防漏シート20の樹脂の配向は、糸状繊維からなるシート（不織布）及び樹脂からなるシート（フィルム）の引張強度によって判断可能である。具体的には、繊維または樹脂の配向は、以下のような手順により測定することができる。
【００４３】
・  製品の縦方向及び横方向に沿って延びる測定対象のシート（外層不織布40または防漏シート20）のサンプルを作成する。
・  サンプルを一定量伸長した時における引張強度を引張試験機によって測定する。
【００４４】
引張強度の試験には、インスロンジャパンカンパニィリミテッド社製の引張り試験機（例えば、型式：5564）を使用した。当該試験機のサンプル掴み部に合わせたサイズ（幅１０ｍｍ、長さ１００ｍｍ）を有するサンプルを、引張速度100mm/分で引っ張り、初期長さに対して10%ひずんだ状態での引張強度を測定する。この場合、縦方向Ｙに沿って延びるサンプルの引張強度の方が、横方向Ｘに沿って延びるサンプルよりも大きい場合には、縦方向Ｙに沿った繊維（樹脂）の配向であると判断することができる。
【００４５】
（４）サイドパネル60の応力測定方法
サイドパネル60の最大伸長時の応力は、以下のような手順により測定することができる。
【００４６】
・  サイドパネル60を吸収性シャーシ50に接着されている部分も含めて吸収性シャーシ50から切り離す。
・  切り離したサイドパネル60を５０ｍｍ幅で切り取り、サイドパネル60の伸縮方向（吸収性シャーシ50の短手方向、具体的には使い捨ておむつ1の幅方向）への伸張時の荷重（引張強さ）を引張り試験機にて測定する。
【００４７】
引張り試験には、インスロンジャパンカンパニィリミテッド社製の引張り試験機（例えば、型式：5564）を使用した。この際、サイドパネル60と吸収性シャーシ50との接着端部と、オス部材71aまたはオス部材72aとをチャックに固定する。その後、引張速度300mm/分でサイドパネル60の最大伸長時の荷重を測定した。
【００４８】
（５）接着強度の測定方法
外層不織布40と防漏シート20、及び防漏シート20と下層シート15との接着強度は、以下のような手順により測定することができる。
【００４９】
・  ファスニングテープ71, 72が貼り付けられる吸収性シャーシ50の領域から、幅25mm×長さ100mmのサイズのサンプルを切り取る。
・  サンプルを測定チャック（上下２カ所）に挟み、上部の測定チャックを下部の測定チャックに対して180°の方向（垂直上方向）に100mm/分の速度で移動させ、そのときの最大強度（N）を測定する。接着強度の試験には、インスロンジャパンカンパニィリミテッド社製の引張り試験機（例えば、型式：5564）を使用した。なお、追加接着層90の貼り合わせWET強度についても同様の方法により測定した。
【００５０】
以上説明したように、使い捨ておむつ1では、防漏シート20と外層不織布40とは、接着層80によって面で固定される。接着層80は、外層不織布40を形成する繊維の配向、及び防漏シート20を形成する樹脂の配向と交差するような塗布パターン、具体的には、吸収性シャーシ50の長手方向に沿って螺旋状が繰り返される塗布パターンを有する。
【００５１】
このような使い捨ておむつ1では、ファスニングテープ71, 72のオス部材71a, 72aを外層不織布40に係合させてファスニングテープ71, 72を引っ張り上げても、ファスニングテープ71, 72を引っ張り上げる力に対して、外層不織布40がその位置に留まろうとする正反対の力（維持力）が生じる。
【００５２】
このため、外層不織布40全域の維持力によって、接着されていない外層不織布40の繊維の伸びや解けが軽減される。つまり、オス部材71a, 72aに係合した外層不織布40の繊維が剥離によって伸びる前にオス部材71a, 72aから外れることや、オス部材71a, 72aに絡んだ繊維が切れることが抑制される。また、吸収性シャーシ50の長手方向に沿って螺旋状が繰り返される接着剤81の塗布パターンであるため、接着剤81が外層不織布の表面に滲み出し難い。
【００５３】
すなわち、使い捨ておむつ1によれば、ターゲットテープを用いずにファスニングテープ71, 72が直接外層不織布40に係合する構造を用いる場合において、外層不織布40の強度を確保しつつ、繰り返しの使用によってもファスニングテープ71, 72のの係合力を維持し得る。
【００５４】
さらに、本実施形態では、防漏シート20と下層シート15とが追加接着層90によって接着される。追加接着層90は、防漏シート20を構成する樹脂の配向と交差するような接着剤91の塗布パターンを有する部分と、防漏シート20を構成する樹脂の配向と略平行するような接着剤92の塗布パターンを有する部分とを有する。
【００５５】
このため、外層不織布40、防漏シート20及び下層シート15が一体化し、外層不織布40、防漏シート20及び下層シート15にせん断応力が掛かっても防漏シート20の伸長が抑制される。防漏シート20の伸長が抑制されると、防漏シート20同士の接着が起き難くなり、防漏シート20同士の接合やヨレ、及びこのような接合やヨレによる防漏シート20の穴空きが抑制される。
【００５６】
また、接着剤92の塗布パターンは、ビード塗工による直線状であるため、着用者の排泄物で追加接着層90が湿潤しても着用者の動きに耐え、防漏シート20と下層シート15とが剥がれないような接着強度を容易に確保できる。なお、カーテン塗工などの接着剤の塗布パターンが非連続となると、接着剤間に水分が入り込み易く、接着強度を高めることが難しい。
【００５７】
さらに、本実施形態では、接着剤91の塗布パターンを有する部分と、接着剤92の塗布パターンを有する部分との間隔は、２０ｍｍ以下に設定される。このため、着用者排泄物で追加接着層90が湿潤しても着用者の動きに耐え、防漏シート20と下層シート15とが剥がれないような接着強度を確実に確保できる。
【００５８】
本実施形態では、サイドパネル60を最も伸長させて、オス部材71a及びオス部材72aを外層不織布40に係合させた状態において、サイドパネル60に掛かる応力が4.0N以下となるように設計されている。このため、オス部材71a及びオス部材72aが係合する被係合領域である外層不織布40にせん断力による負荷が掛かり難い。つまいり、使い捨ておむつ1が繰り返し使用されることによる外層不織布40の損傷を遅延させることができる。
【００５９】
さらに、オス部材71a及びオス部材72aは、外層不織布40の表面のどの領域（図１の一点鎖線枠内）にでも係合でき、かつサイドパネル60が伸縮性を有するため、使い捨ておむつ1は、着用者、特に高齢者の多様な体型や体の状態に応じた最適な当て方に対応できる。
【００６０】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６１】
例えば、上述した実施形態では、サイドパネル60は伸縮性を有していたが、サイドパネル60は必ずしも伸縮性を有していなくても構わない。
【００６２】
また、上述した実施形態では、防漏シート20と下層シート15とが追加接着層90によって接着されていたが、防漏シート20と下層シート15とは、必ずしも追加接着層90によって接着されていなくてもよい。
【００６３】
さらに、上述した実施形態では、使い捨ておむつ1を例として説明したが、本発明が適用可能な吸収性物品は、使い捨ておむつに限られるものでなく、サイドパネルの側部に設けられるメカニカルファスナーのオス部材を備える吸収性物品に広く適用することができる。
【００６４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６５】
1…使い捨ておむつ
10…表面シート
15…下層シート
20…防漏シート
30…吸収体
40…外層不織布
45…LSG不織布
50…吸収性シャーシ
60…サイドパネル
71, 72…ファスニングテープ
71a, 72a…オス部材
80…接着層
90…追加接着層
81, 91, 92…接着剤
【図１】
0005683982.tif 000002
【図２】
0005683982.tif 000003
【図３】
0005683982.tif 000004
【図４】
0005683982.tif 000005